(57)【要約】      （修正有）【課題】電源を共用するとともに、無線方式で制御を行う無線複合装置を提供する。【解決手段】アンテナ１０と、交流直流変換駆動回路１１と、ＬＥＤ電気回路板１２と、ルーター１３とを含む。アンテナ１０より信号を伝送し、交流直流変換駆動回路１１が入力する交流電気を直流電気に変換して出力し、並列に設置されたＬＥＤ電気回路板１２と、ルーター１３に供給すると共に駆動をする。これにより、無線通信を介して交流直流変換駆動回路１１による変換及び電気供給を制御すると共に、複数の電子装置を統合し、設置コストとスペースを省くことができる。【選択図】図１
0003204898.tif 000002
【実用新案登録請求の範囲】
【請求項１】
交流直流変換駆動回路を共用する無線複合装置であって、
アンテナと、
前記アンテナと電気接続していて、かつ前記アンテナの伝送信号に従い、外部電源から入力する交流電気を直流電気に変換して出力する交流直流変換駆動回路と、
前記直流変換駆動回路と電気接続して、出力する直流電気によって駆動されるＬＥＤ電気回路板と、
前記直流変換駆動回路と電気接続して、出力する直流電気によって駆動され、前記ＬＥＤ電気回路板と互いに並列負荷の設置を形成するルーターと、を含むことを特徴とする、無線複合装置。
【請求項２】
前記アンテナの伝送モードはブルートゥースまたはｗｉｆｉモードであることを特徴とする、請求項１記載の無線複合装置。
【請求項３】
前記交流直流変換駆動回路は少なくとも３．３ボルトまたは５．０ボルトの２通りの直流定電圧を変換出力できることを特徴とする、請求項２記載の無線複合装置。
【請求項４】
多機能ＬＥＤ灯具であって、
ブルートゥースモジュールを有する制御アンテナと、
前記制御アンテナと電気接続し、前記制御アンテナの伝送信号に従い、外部電源から入力する交流電気を直流電気に変換して出力するＬＥＤ駆動回路と、
前記直流変換駆動回路と電気接続して、出力する直流電気によって駆動されるＬＥＤ電気回路板と、
前記ＬＥＤ駆動回路と電気接続していて、かつ出力する直流電気によって駆動され、前記ＬＥＤ灯と互いに並列負荷を形成するルーターと、を含むことを特徴とする、多機能ＬＥＤ灯具。
【請求項５】
前記交流直流変換駆動回路は少なくとも３．３ボルトまたは５．０ボルトの２通りの直流定電圧を変換出力できることを特徴とする、請求項４記載の多機能ＬＥＤ灯具。
【請求項６】
前記ブルートゥースモジュールはエンベッドタイプのシリアル通信モジュールであり、外部ピンＰＩ０９を介して、前記ＬＥＤ駆動回路と電気接続することを特徴とする、請求項４または請求項５記載の多機能ＬＥＤ灯具。
【請求項７】
スピーカー駆動回路と、スピーカーとをさらに含む、前記スピーカー駆動回路と前記外部電源と電気接続して前記スピーカーを駆動することを特徴とする、請求項６記載の多機能ＬＥＤ灯具。
【請求項８】
前記ＬＥＤ灯、前記ルーター及び前記スピーカーは携帯装置を介して、オン・オフと動作を制御することを特徴とする、請求項７記載の多機能ＬＥＤ灯具。
【請求項９】
前記携帯装置はスマートフォンまたはタブレットＰＣであることを特徴とする、請求項８記載の多機能ＬＥＤ灯具。
【考案の詳細な説明】
【技術分野】
【０００１】
本考案は電子装置分野に関し、特に各種の電子装置を統合して、一括に電源を共用すると共に、無線方式によって制御を行う無線複合装置に関する。
【背景技術】
【０００２】
灯具は現在の生活において、欠かせることのできない用品の一つであり、応用の範囲も各種の態様に設計されている。さらに、科学技術とエネルギーが発展することと、環境意識の向上につれて、ＬＥＤの演色性も良くなり、高発光効率と環境にやさしい等の優位性を有しており、照明灯具の多くはすでにＬＥＤを発光源として採用されている。照明灯具は電気ケーブルを介して外部の市電に繋いで電気を取り込むと同時に、制御回路を駆動してＬＥＤ関連操作の制御を行い、使用者に様々な照明効果が提供される。
【考案の概要】
【考案が解決しようとする課題】
【０００３】
さらに、インターネットの普及に伴い、ネットワークの利用効率を引き上げるため、自宅または事務所にいる人たちの多くは、ルーターをネットワークシェアリングの装置に使用されている。ルーターはネットワークパケットを入力端から出力端の経路を決めるか、またはＩＰシェアリングに使われ、インターネットの使用者数と、パッケト伝送経路設定等を増やせる。さらに、技術の進化に従い、現在は無線ルーターを無線ネットワークと有線ネットワークの通信装置として、使用者の無線によるネットワーク接続に使用されている。ルーターを使用するときには、ネットワーク回線をルーターに繋いで、ルーターの接続ポートによって、ネットワークパケットの伝送経路を増やして、ネットワークシェアリングの目的を達成する。一方、ルーターを稼働させるには、電気ケーブルを市電につないで、電気を受け入れなければならない。
【０００４】
前述とおり、灯具とルーターはもはや今日の生活に欠かせない電子装置であり、室内外の接続に拘らず、すべては電気ケーブルを介して市電に繋いで灯具と、ルーターに必要な電気を取り込まなければならない。さらに、市電からの出力するのは交流電気であり、そのまま灯具とルーターに使用させることができないため、灯具とルーターともそれぞれに電流電圧変換素子を設けて、各種装置に電気を提供する。さらに、使用者がネットワークに接続して、ネットワークシェアリングと照明機能が必要な場合は、所在する場所にルーターと灯具をそれぞれ設置しなければならず、装置コストがかさばる他に、設置スペ―スを占拠される。特に、ルーターと灯具の数が多くなると、そのコストと必要スペースも増加される。この他、電気ケーブルが入り混じった状態には時間を費やして整理して置かないと、設置箇所の美観が影響される。
【課題を解決するための手段】
【０００５】
科学技術が発達する現在、使用者も生活の利便性をますます追求すると共に、電子装置制御の自由度も追求される。しかし、灯具とルーターなど多くの電子装置は駆動面と多くの背景要因から、別々な設置方式が取られており、このような背景から、前述した欠点と問題が発生される。そのため、本考案人が無線複合装置を考案し、前述課題を有効に解消し、電子製品の整合と統合の目的を図る。
【０００６】
本考案の一目的は、交流直流変換駆動回路を共用できる無線複合装置を提供する。ＬＥＤとルーターを統合することによって、一つの外部電源を共同に使用し、交流を直流に変換した後電気供給と駆動に提供し、設置コストとスペースを軽減すると共に無線方式で関連制御を行うことができる。
【０００７】
本考案のもう一つの目的は、多機能灯具を提供する。無線通信によって制御すると共に、外部電源の交流を直流に変換した後、ＬＥＤ灯とルーターに電気供給し、灯具に照明効果が達成されるとともに、ネットワーク接続の機能を果たせて、コストとスペースを軽減すると共に、制御と使用の利便性を向上させる。
【０００８】
前述目的を達成するため、本考案の交流直流変換駆動回路共用できる無線複合装置は、アンテナと、係るアンテナに電気接続して、アンテナの伝送信号に従い、外部電源から入力する交流電気を直流電気に変換して出力する交流直流変換駆動回路と、直流変換駆動回路と電気接続して、出力する直流電気によって駆動されるＬＥＤ電気回路板と、直流変換駆動回路と電気接続して、出力する直流電気によって駆動され係るＬＥＤ電気回路板と互いに並列負荷の設置を形成するルーターと、を含む。
【０００９】
そのうち、係るアンテナの伝送モードはブルートゥース（登録商標）またはｗｉｆｉモードであり、かつ係る交流直流変換駆動回路は少なくとも３．３ボルトまたは５．０ボルトの２通りの直流定電圧を変換出力し、必要な電気を供給できる。
【００１０】
もう一つの実施例において、多機能ＬＥＤ灯具を開示する。ブルートゥースモジュールを有する制御アンテナと、係る制御アンテナと電気接続して、制御アンテナの伝送信号に従い、外部電源から入力する交流電気を直流電気に変換して出力するＬＥＤ駆動回路と、係るＬＥＤ駆動回路と電気接続していて、かつ出力する直流電気によって駆動される少なくとも一つのＬＥＤ灯と、係るＬＥＤ駆動回路と電気接続していて、かつ係る出力する直流電気によって駆動されるルーターと、を含む。
【００１１】
そのうち、係るＬＥＤ駆動回路少なくとも３．３ボルトまたは５．０ボルトの２通りの直流定電圧を変換することができ、かつ、係るブルートゥースモジュールはエンベッドタイプの通信モジュールであり、外部ピンＰＩ０９を介して、係るＬＥＤ駆動回路と電気接続される。
【００１２】
もう一つの実施態様において、本考案はスピーカー駆動回路と、スピーカーをさらに含む。そのうち、係るスピーカー駆動回路は係る外部電源と電気接続して、スピーカーを駆動することによって、多機能灯具の機能性を向上される。
【００１３】
このほか、ＬＥＤ灯と、ルーターと、スピーカーが携帯装置を用いて、オン・オフと動作を制御する。好ましくは係る携帯装置が知能型携帯電話機またはタプレッドパソコンを実施し、使用者は係る多機能灯具を遠隔地より制御し、係る多機能灯具の使用の利便性を向上できる。
【００１４】
前述とおり、本考案は無線通信を介して交流直流変換駆動回路を制御すると共に、ＬＥＤ回路とルーターを同時に駆動でき、電気供給に係る設置コストを軽減し、極めて良い制御の利便性を有する。さらに、多機能灯具がＬＥＤ灯とルーターを同時に接続することによって、多機能灯具はＬＥＤ灯によって照明を提供できるほか、ネットワーク接続の機能をかね合わせ、設置コストを大幅に軽減し、設置スペースの軽減効果を達成できる。さらに、本考案によれば、無線通信を介して使用者が携帯装置を用いて関連の制御ができる。このほか、多機能灯具はさらにスピーカーを設けるによって音声再生機能を有しており、携帯装置を用いて制御を行い、機能性と使用の利便性をさらに向上できる。
【図面の簡単な説明】
【００１５】
【図１】本考案の第１実施例によるモジュール態様図である。
【図２】本考案の第２実施例によるモジュール態様図である。
【図３】本考案の第２実施例による応用態様図である。
【図４】本考案の第２実施例もう一つの実施態様によるモジュール態様図である。
【考案を実施するための形態】
【００１６】
審査官の方々が本考案の内容のさらなる理解を図るため、下記の説明に図式を組み合わせ、参考にしていただきたい。
【実施例１】
【００１７】
図１、本考案の第１実施例によるモジュール態様図を参照する。本考案より交流直流変換駆動回路の無線複合装置１を提供する。アンテナ１０と、交流直流変換駆動回路１１と、ＬＥＤ電気回路板１２と、ルーター１３と、を含む。
【００１８】
係るアンテナ１０を交流直流変換駆動回路１１に電気接続していて、係るアンテナ１０の伝送モードはブルートゥースまたはｗｉｆｉモードである。係る交流直流変換駆動回路１１を外部電源２と電気接続して、アンテナ１０の伝送信号に従い、外部電源２から入力する交流電気を直流電気に変換して出力させ、交流直流変換駆動回路１１は少なくとも３．３ボルトまたは５．０ボルトの２通りの直流定電圧を変換出力することができ、必要な電圧に対応できる。係るＬＥＤ電気回路板１２と、係る交流直流変換駆動回路１１と電気接続して、出力する直流電気によって駆動され、係るルーター１３も同じく交流直流変換駆動回路１１と電気接続し出力する直流電気によって駆動される。係るＬＥＤ電気回路板１２と係るルーター１３と互いに並列負荷の設置を形成する。
【００１９】
これにより、係る無線複合装置１が無線通信方式により、交流直流変換駆動回路１１を利用し、入力する交流電気を直流電気に変換出力すると同時に、ＬＥＤ電気回路板１２と、ルーター１３に必要な電気を供給し、ルーター１３とＬＥＤ電気回路板を直接に駆動することによって、一括に複数種の電子装置の駆動効果を達成される。
【実施例２】
【００２０】
引き続き、図２と図３、本考案の第２実施例によるモジュール態様図と、応用態様図を参照する。本実施例において、本考案より制御アンテナ３０と、ＬＥＤ駆動回路３１と、少なくとも一つのＬＥＤ灯３２と、一つのルーター３３と、を含む多機能ＬＥＤ灯具３を提供されている。
【００２１】
係る制御アンテナ３０はブルートゥースモジュール３０１を有し、ブルートゥース通信協定によって無線通信が行われる。ＬＥＤ駆動回路３１は制御アンテナ３０と電気接続していて、かつ制御アンテナ３０の伝送信号に従い、外部電源４から入力する交流電気を直流電気に変換して出力させる。そのうち、係るＬＥＤ駆動回路３１は少なくとも３．３ボルトまたは５．０ボルトの２通りの直流定電圧を変換出力し、ブルートゥースモジュール３０１に必要な電圧または調圧した上に他の電圧値を提供することもできる。係るＬＥＤ灯３２はＬＥＤ駆動回路３１と電気接続して、出力する直流電気によって駆動され、光源として外部に光線を提供させる。係るルーター３３もＬＥＤ駆動回路に電気接続して、出力する直流電気によって駆動される。ルーター３３とＬＥＤ灯３２は並列負荷の設置を形成する。
【００２２】
好ましくは、係るブルートゥースモジュール３０１がエンベッドタイプの通信モジュールの外部ピンＰＩ０９を介して、係るＬＥＤ駆動回路３１と電気接続することが良い。このほか、多機能ＬＥＤ灯具３はブルートゥースモジュール３０１を介して、携帯装置５から伝送する指令を受信して、使用者は携帯装置５を遠隔地より多機能ＬＥＤ灯具３のＬＥＤ灯３２とルーター３３のオン・オフの動作設定を行うことができる。好ましくは、携帯装置５は知能型携帯電話機またはタブレット型パソコンが良い。本実施例において、係る携帯装置５は携帯電話機を例示している。
【００２３】
図３に示すように、係る多機能ＬＥＤ灯具３を適用するときに、使用者は携帯装置５のブルートゥース通信によって、指令を制御アンテナ３０に送信して、ＬＥＤ灯３２とルーター３３のオン・オフと動作を制御する。制御アンテナ３０がブルートゥースモジュール３０１を介して指令を受信した後、使用者から送られた指令に従い信号を伝送しＬＥＤ駆動回路３１によって入力する交流電気を直流電気に変換して出力させる。引き続き、出力する直流電気をＬＥＤ灯３２とルーター３３に伝送させ、ＬＥＤ灯３２とルーター３３を駆動することによって、係る多機能ＬＥＤ灯具３は外部電源４のみで、照明機能を提供できるほか、使用者にオンライン接続操作ができ、電子装置の設置コストと取り付けスペースを軽減できるとともに、使用の利便性を向上できる。
【００２４】
引き続き図４、本考案の第２実施例もう一つの実施態様によるモジュール態様図を参照する。本実施例において、多機能ＬＥＤ灯具３は、駆動回路３４と、スピーカー３５とを有するスピーカーをさらに含む、係るスピーカー駆動回路３４が外部電源４と電気信号接続して、スピーカー３５を駆動させ、多機能ＬＥＤ灯具３の用途を更に広げられる。使用者は携帯装置５を介して、スピーカー３５のオン・オフと動作制御を行い、制御アンテナ３０がブルートゥースモジュール３０１を介して、携帯装置５の指令を受信した後に、スピーカー駆動回路３４によってスピーカー３５の動作を制御できる。
【００２５】
本考案の無線複合装置１は、無線通信方式により交流直流変換駆動回路１１を制御し、外部電源２から入力する交流電気を変換すると同時に、ＬＥＤ電気回路板１２とルーター１３に必要な電気を供給して、各種電子製品の使用に提供できる。係る多機能灯具３はＬＥＤ駆動回路３１を介して、外部電源４から入力する交流電気を直流電気に変換して出力し、無線通信と合わせてＬＥＤ灯３２とルーター３３に動作制御を行い、多機能ＬＥＤ灯具３は使用者に照明機能を提供できる他に、使用者にインターネットオンライン接続の機能を提供でき、さらにはスピーカー３５によって、再生機能を提供され、多機能灯具２に多種の電子製品の統合目的を達成し、使用者の設置コストと取り付けスペース軽減の目的を達成できる。このほかに、使用者がブルートゥース通信協定を通じて、携帯装置５を速やかに遠隔地より、多機能ＬＥＤ灯具３の動作を制御し、使用の利便性を更に向上できる。
【００２６】
以上に説明したものは、本考案の好ましい実施例に過ぎず、本考案の実施範疇に制限を加わるものではない。当技術に熟知する者は、本考案の精神と範疇を逸脱されない、いかなる等効果変化と修飾とも、本考案の実用新案請求範囲に含まれる。
【符号の説明】
【００２７】
１    無線複合装置
１０  アンテナ
１１  交流直流変換駆動回路
１２  ＬＥＤ回路板
１３  ルーター
２  外部電源
３  多機能ＬＥＤ灯具
３０  制御アンテナ
３１  ブルートゥースモジュール
３１  ＬＥＤ駆動回路
３２  ＬＥＤ灯
３３  ルーター
３４  スピーカー駆動回路
３５  スピーカー
４  外部電源
５  携帯装置
【図１】
0003204898.tif 000003
【図２】
0003204898.tif 000004
【図３】
0003204898.tif 000005
【図４】
0003204898.tif 000006